(57)【要約】  適切な締め付け力を設定することが可能な装着具などを実現する。装着具（１）は、首輪部（１０）と、首輪部に一端が連結されており、装着時に、犬の腋の下を通って動物の背中側に伸びるベルト部（２０）と、ベルト部の長さを調整する連結部（２２）とを備え、ベルト部には、連結部による長さ調整のための、測定具（２）が備える指標ベルト（７０）に示された測定具指標（７１）と対応する装着具指標（２６）が示されている。
2019031530.tif 000002
【特許請求の範囲】
【請求項１】
動物に装着される装着具であって、
前記動物の首に装着される首輪部と、前記首輪部に一端が連結されており、装着時に、前記動物の腋の下を通って前記動物の背中側に伸びるベルト部とを備え、
前記ベルト部は、当該ベルト部の長さを調整する調整部を備え、
前記ベルト部の少なくとも一部は、伸縮性を有し、
前記ベルト部には、前記調整部による長さ調整のための第１指標が示されており、
前記第１指標は、前記装着具に対応する測定具が備える指標ベルトに示された第２指標と対応していることを特徴とする装着具。
【請求項２】
前記第１指標は、前記ベルト部の長さ方向に沿って表示された複数のマークを含むことを特徴とする請求項１に記載の装着具。
【請求項３】
前記複数のマークの色が互いに異なっていることを特徴とする請求項２に記載の装着具。
【請求項４】
動物の首に装着される測定用首輪部と、
前記測定用首輪部に一端が連結されており、前記測定用首輪部との連結部分からの距離に応じた第２指標が示された指標ベルトと、
前記測定用首輪部と連結されており、装着時に前記動物の背中側に配される首輪付属部とを備えることを特徴とする測定具。
【請求項５】
請求項１から３のいずれか１項に記載の装着具と、
請求項４に記載の測定具とを含む装着具セットであって、
前記ベルト部に示された第１指標と、前記指標ベルトに示された第２指標とが対応していることを特徴とする装着具セット。
【請求項６】
請求項４に記載の測定具を用いて、請求項１から３のいずれか１項に記載の装着具における前記ベルト部の長さを調整する調整方法であって、
前記測定用首輪部を前記動物の首に装着する装着ステップと、
前記指標ベルトを前記動物の腋の下に通して、前記指標ベルトの他端を前記動物の背中側にまわし、前記首輪付属部と交差した前記指標ベルトの部分に位置する第２指標の目盛を確認する指標確認ステップと、
前記指標確認ステップにおいて確認した第２指標の目盛に対応する、前記ベルト部の第１指標の目盛に基づいて当該ベルト部の長さを調整する調整ステップとを含むことを特徴とする調整方法。
【発明の詳細な説明】
【技術分野】
【０００１】
本開示は、生体、特に体毛を有する動物に装着する装着具、当該装着具におけるベルトの適切な長さを測定する測定具、上記装着具および上記測定具を含む装着具セット、および上記測定具を用いた上記装着具の調整方法に関する。
【背景技術】
【０００２】
生活習慣病の予防および対策として、日常的な健康管理が重要であることが広く認識されている。近年、人間（飼い主）と同様、愛玩動物（ペット）においても日常的な健康管理が重要であるとの認識が高まり、飼い主がペットの生体情報の測定を手軽に行うことへのニーズが高まっている。【０００３】
ペットの生体情報を測定する技術の一例としては、以下の特許文献１に開示されたものが挙げられる。特許文献１に記載のペット用体脂肪測定具は、電極体の各電極を脇の下等に押し付けた状態に保持する固定具と、ペット用体脂肪測定具を装着された動物に対する締め付け力を調整する締め付け調整具とを有している。
【先行技術文献】
【特許文献】
【０００４】
【特許文献１】日本国公開特許公報「特開２００５−２７６６１号公報（２００５年２月３日公開）」
【発明の概要】
【発明が解決しようとする課題】
【０００５】
しかしながら、特許文献１に開示されているペット用体脂肪測定具は、当該測定具を装着させるユーザ次第で、動物に対する締め付け力が異なる虞がある。このため、（ｉ）締め付け力が過大になり、動物に苦痛を与える虞がある、または（ｉｉ）締め付け力が過小になり、電極が動物に適切に当接しない虞がある、といった問題がある。【０００６】
本開示の一態様は、適切な締め付け力を設定することが容易な装着具などを実現することを目的とする。
【課題を解決するための手段】
【０００７】
上記の課題を解決するために、本開示の一態様に係る装着具は、動物に装着される装着具であって、前記動物の首に装着される首輪部と、前記首輪部に一端が連結されており、装着時に、前記動物の腋の下を通って前記動物の背中側に伸びるベルト部とを備え、前記ベルト部は、当該ベルト部の長さを調整する調整部を備え、前記ベルト部の少なくとも一部は、伸縮性を有し、前記ベルト部には、前記調整部による長さ調整のための第１指標が示されており、前記第１指標は、前記装着具に対応する測定具が備える指標ベルトに示された第２指標と対応している。【０００８】
また、本開示の一態様に係る測定具は、動物の首に装着される測定用首輪部と、前記調整用首輪部に一端が連結されており、前記調整用首輪部との連結部分からの距離に応じた第２指標が示された指標ベルトと、前記調整用首輪部と連結されており、装着時に前記動物の背中側に配される首輪付属部とを備える。
【発明の効果】
【０００９】
本開示の一態様に係る装着具および測定具などによれば、ユーザに依存せず、適切な締め付け力を設定することができる。
【図面の簡単な説明】
【００１０】
【図１】（ａ）は、実施形態１に係る装着具の構成を示す斜視図であり、（ｂ）は、実施形態２に係る測定具の構成を示す平面図である。
【図２】図１の（ｂ）に示した測定具の使用状態を示す図である。
【図３】（ａ）は、ベルト部の、電極と連結部との間の領域を示す図であり、（ｂ）は、指標ベルトを示す図である。
【図４】（ａ）は、装着具のサイズごとの、伸縮ベルトの通常時の長さおよび伸縮ベルトを１３．３％伸長するための長さを示す表であり、（ｂ）は、装着具のサイズごとの小領域と、対応するサイズの測定具の小領域との長さの対応関係の例を示す表である。
【図５】実施形態１に係る装着具を犬に装着する様子を示す図であり、（ａ）は装着途中、（ｂ）は装着完了後の状態を示している。
【図６】実施形態２に係る測定具の構成を示す斜視図である。
【図７】実施形態３に係る装着具の構成を示す斜視図である。
【発明を実施するための形態】
【００１１】
以下では、装着対象の動物が犬である例について説明する。装着対象の動物は、特に犬に限らず、例えば、（ｉ）猫、ウサギ、フェレット、猿、またはハムスター等の愛玩動物、（ｉｉ）馬、牛、豚、ヒツジ、またはヤギ等の家畜、あるいは（ｉｉｉ）トラまたはライオン等の動物としてもよい。
【００１２】
〔実施形態１〕
以下、本開示の一実施形態について、詳細に説明する。本実施形態では、犬の心電などを測定するための装着具１、および、装着具１のベルト部の長さを調整するために用いられる測定具２について説明する。装着具１および測定具２は、本実施形態に係る装着具セットに含まれる。
【００１３】
（装着具１）
図１の（ａ）は、本実施形態に係る装着具１の構成を示す斜視図である。装着具１は、例えば犬の心電などを測定するための装着具である。ただし、装着具１による測定の対象となる生体情報は、心電に限定されず、例えば脈波、発汗量、心拍数または体脂肪率であってもよい。図１に示すように、装着具１は、首輪部１０、ベルト部２０、および収納部３０を備える。
【００１４】
首輪部１０は、犬の首に装着される環状の部材である。首輪部１０は、犬に装着した状態にて環状になっていればよく、例えば複数の帯を連結させることにより、見かけ上環状の首輪部１０が形成されてもよい。首輪部１０の材料は特に制限されず、例えば天然皮革、合成皮革、樹脂、天然繊維、または化学繊維など、任意の材料であってよい。また、首輪部１０は、犬の首の太さに応じて当該首輪部１０の長さを調整するための調整部をさらに有してもよい。
【００１５】
ベルト部２０は、首輪部１０に一端が連結されているベルトである。また、ベルト部２０は、犬が装着具１を装着している場合に、犬の腋の下を通って当該犬の背中側に伸びる。装着具１は、犬の左右の腋のそれぞれに対応する２本のベルト部２０を備える。それぞれのベルト部２０は、電極２１および連結部２２を有する。ただし、装着具１は、測定の内容に応じて任意の数のベルト部２０を備えていてよい。
【００１６】
電極２１は、犬の生体情報としての心電を測定するための電極である。電極２１は、例えば導電性を有する布で形成されてよい。電極２１は、犬の腋に挟まりやすいように、円筒形に近い形状を有する。
【００１７】
電極２１は、装着具１が装着された状態において犬の腋窩に配される。腋窩は、犬の身体で比較的被毛が薄い領域である。このため、電極２１を腋窩に当接させることで、剃毛、または導電性ジェルの塗布といった処理を行うことなく心電を測定することができる。また、腋窩は、床または壁等への接触の虞が小さいため、当該接触により電極２１の位置が変化し、正常な測定が妨げられる虞が小さい。
【００１８】
本実施形態では、電極２１は、それぞれのベルト部２０に１つずつ設けられている。ただし、電極２１は、装着具１による測定の内容に応じて任意の数設けられてよく、またベルト部２０ごとに電極２１の数が異なっていてもよい。
【００１９】
連結部２２は、ベルト部２０の他端を収納部３０に対して着脱可能に連結するための部材である。装着具１においては、それぞれのベルト部２０が、首輪部１０の一部および収納部３０の一部との間で環状の部分を形成する。本実施形態の連結部２２は、バックルである。また、ベルト部２０のベルト本体が連結部２２で折り返される位置を調整することで、ベルト部２０の長さを調整することができる。このように連結部２２は、ベルト部２０の長さを調整する調整部としても機能する。
【００２０】
なお、ベルト部２０の長さを調整する調整部を、連結部２２とは別に設けてもよい。この場合、調整部の例として、例えばアジャスタ、ピンバックル、ボタン、面ファスナー、安全ピンなどの針、またはベルトを巻き取るリールなどが挙げられる。これらの調整部は、サイズ（長さ）調整を行うために衣服等で用いられる一般的なサイズ（長さ）調整の機構である。ユーザは、これらの機構を用いてベルト部２０の長さを調整する。
【００２１】
収納部３０は、犬の心電などを測定するための測定装置３１を内部に収納している。測定装置３１は、図示しない導線により、電極２１と接続されている。収納部３０の外部には、ベルト部２０の連結部２２と連結する連結部３２が設けられている。なお、連結部３２は、収納部３０ではなく首輪部１０に設けられていてもよい。
【００２２】
測定装置３１は、センサ基板、赤外線センサ、およびバッテリー（いずれも不図示）を備える。センサ基板には、心電用信号処理回路、加速度センサ、温湿度センサ、マイコン（マイクロコンピュータ）およびＢＬＥ（Bluetooth（登録商標） Low Energy）モジュールが搭載されている。ＢＬＥモジュールは、外部にデータを送信するためのアンテナを含む。なお、センサ基板に、ＢＬＥモジュール以外の通信モジュールが搭載されていてもよい。赤外線センサは、犬の体表温度の測定に用いられる。バッテリーはセンサ基板および赤外線センサに電力を供給する。
【００２３】
心電用信号処理回路は、電極２１から犬の心電を示す信号として電位を取得する。さらに、心電用信号処理回路は、取得した信号を増幅し、信号からノイズを除去するためのフィルタリング処理を行う。
【００２４】
心電用信号処理回路により処理された犬の心電、および、他のセンサから取得された犬の体表温度、加速度、環境の温湿度などのデータは、ＢＬＥモジュールにより、スマートフォンまたはタブレットといった他の端末へ送信されて保存される。なお、上記データは、スマートフォンなどを経由してクラウド上のサーバに保存されてもよい。または、センサ基板がＷｉＦｉ（登録商標）モジュールを備えてもよく、この場合上記データはセンサ基板から他の端末を介さずに直接クラウド上のサーバに保存されてもよい。
【００２５】
また、測定装置３１は、心電用信号処理回路を備えず、電極２１から取得した電位をそのまま他の端末へ送信してもよい。その場合、当該他の端末において、信号の増幅およびフィルタリング処理が実行される。
【００２６】
（測定具２）
図１の（ｂ）は、本実施形態に係る測定具２の構成を示す平面図である。測定具２は、装着具１のベルト部の長さを調整するために用いられる。図１の（ｂ）に示すように、測定具２は、測定用首輪部６０と、指標ベルト７０と、首輪付属部８０とを備える。
【００２７】
測定用首輪部６０は、犬の首に装着される環状の部材である。測定用首輪部６０は、首輪部１０と同様、犬に装着した状態で環状になっていればよい。また、測定用首輪部６０の材料についても首輪部１０と同様である。また、測定用首輪部６０は、首輪部１０と同様に、犬の首の太さに応じて当該測定用首輪部６０の長さを調整するための調整部をさらに有してもよい。
【００２８】
指標ベルト７０は、測定用首輪部６０に一端が連結されたベルトである。指標ベルト７０は、比較的伸縮性が小さい材料（例えば布またはナイロンなど）で全体を構成されている。指標ベルト７０には、当該指標ベルト７０と測定用首輪部６０との連結部分からの距離に応じた測定具指標７１（第２指標）（図３の（ｂ）参照）が示されている。
【００２９】
首輪付属部８０は、測定具指標７１の適切な目盛を確認するための位置を示す部材である。ここでいう目盛とは、点および線のみならず、文字、数字、図形、記号、色彩またはこれらの組み合わせであり、長さ調整の目印となるマークを意味する。首輪付属部８０は、測定用首輪部６０と連結されている。測定具２の装着時に、首輪付属部８０は、犬の背中側に配される。
【００３０】
図２は、測定具２の使用状態を示す図である。測定具２の使用時には、測定用首輪部６０を犬の首に装着した後、指標ベルト７０を、犬の腋の下を通して引き上げ、図２に示すように、犬の背中に位置する首輪付属部８０に指標ベルト７０を接触させる。このとき、指標ベルト７０の、首輪付属部８０の側方の外縁部と交差する位置Ｐの目盛を確認する。前記側方の外縁部とは、測定具２を犬に装着した状態において、犬の背中を見下ろした場合に、犬の背骨が伸びる方向に沿って伸びる外縁部を意味する。指標ベルト７０は伸縮性が小さい材料で構成されているため、指標の確認時に不要な伸縮に起因する指標のズレが発生しにくい。
【００３１】
（ベルト部２０および指標ベルト７０）
図３の（ａ）は、ベルト部２０の、電極２１と連結部２２との間の領域を示す図である。図３の（ａ）に示すように、ベルト部２０の上記領域には、伸縮性を有する伸縮ベルト２４と、伸縮ベルト２４と比較して伸縮性を有しない非伸縮ベルト２５とが含まれる。換言すれば、ベルト部２０の少なくとも一部は伸縮性を有している。伸縮ベルト２４の弾性力により、犬の皮膚に電極２１が当接する。
【００３２】
伸縮ベルト２４はゴムなどの、伸縮性の大きい材料（弾性体）で構成される。一方、非伸縮ベルト２５は、伸縮ベルト２４の材料と比較して伸縮性の小さい材料（例えば布、ナイロンなど）で構成される。伸縮ベルト２４は、ベルト部２０において、非伸縮ベルト２５よりも首輪部１０に近い側に位置する。電極２１は、伸縮ベルト２４に設けられる。伸縮ベルト２４の長さは、装着具１を犬に装着した場合に電極２１が犬の腋窩に当接する長さに形成されている。
【００３３】
ベルト部２０には、連結部２２による長さ調整のための装着具指標２６（第１指標）が示されている。装着具指標２６には指標ベルト７０に示された測定具指標７１に対応したマークが表示されている。
【００３４】
本実施形態の装着具指標２６は、目盛としてベルト部２０の長さ方向に沿って表示されたマーク２６１〜２６８を含む。非伸縮ベルト２５には、長さ方向に８つの小領域２５１〜２５８が設定されている。マーク２６１〜２６８は、それぞれの小領域２５１〜２５８に対応して示されている。小領域２５１〜２５８およびマーク２６１〜２６８は、非伸縮ベルト２５の首輪部１０に近い側から、この順で並んでいる。
【００３５】
装着具指標２６を構成する複数のマークおよびその表示順序は、測定具指標７１を構成する複数のマークおよびその表示順序と同一である。ただし、装着具指標２６を構成する複数のマークと測定具指標７１を構成する複数のマークとが同一の形状および色彩を有している必要はない。装着具指標２６を構成する複数のマークと、測定具指標７１を構成する複数のマークとが一対一で対応していることが認識できる程度に両マークが類似していればよい。
【００３６】
マーク２６１〜２６８の形状については特に制限はなく、どのような形状のマークでも構わない。本実施形態では、マーク２６１〜２６８の色は互いに異なっている。マーク２６１〜２６８の色は、例えば図３の（ａ）および以下に示すものであってよい。
・マーク２６１の色は赤
・マーク２６２の色は青
・マーク２６３の色は黄
・マーク２６４の色は緑
・マーク２６５の色は桃
・マーク２６６の色は紫
・マーク２６７の色は茶
・マーク２６８の色は白
また、マーク２６１〜２６８の、隣接する色の組み合わせは、人の目で見て容易に判別可能なものであることが好ましい。例えば、上記組み合わせは、寒色と暖色との組み合わせであってよい。
【００３７】
なお、装着具指標２６は、互いに色が異なるマーク２６１〜２６８を含むものに限定されない。具体的には装着具指標２６は、色ではなく形状が互いに異なる複数のマークを含んでいてもよく、色および形状の両方が互いに異なる複数のマークを含んでいてもよい。また、上記のマークは、例えばベルト部２０の素材または編み方を異ならせることで示されてもよく、着色または刺繍により示されてもよく、凹凸を形成することによって示されてもよい。また、小領域の数およびそれぞれの大きさは特に限定されず、また互いに同じ大きさでなくてもよい。
【００３８】
また、図３の（ａ）に示すベルト部２０においては、非伸縮ベルト２５の、小領域２５１よりも首輪部１０側に、調整領域２５０が設定されている。調整領域２５０は、ベルト部２０の製造時に当該ベルト部の長さを調整するために設定される。例えばベルト部２０を長くする場合には、調整領域２５０を長く設定する。ただし、調整領域２５０はベルト部２０に設定されなくてもよい。
【００３９】
また、図３の（ａ）に示すベルト部２０において非伸縮ベルト２５として示されている領域も、伸縮ベルト２４と同様の、伸縮性の大きい材料で構成されていてもよい。
【００４０】
図３の（ｂ）は、測定具２の指標ベルト７０を示す図である。上述したとおり、指標ベルト７０には、測定具指標７１が表示されている。図３の（ｂ）に示すように、指標ベルト７０には、長さ方向に８つの小領域７０１〜７０８が設定されている。本実施形態の測定具指標７１は、小領域７０１〜７０８のそれぞれに付された、上述したマーク２６１〜２６８のそれぞれと同じ色の色彩７１１〜７１８を含む。なお、測定具指標７１は、色彩７１１〜７１８を含むものに限定されず、上述した各種の目盛のいずれかを含んでいてもよい。また、上記の目盛は、素材または編み方を異ならせることで示されてもよく、着色または刺繍により示されてもよく、凹凸を形成することによって示されてもよい。
【００４１】
図３の（ａ）において、小領域２５１〜２５８のそれぞれの境界に記載されている長さは、首輪部１０に連結されているベルト部２０の端部から当該境界までの長さを示す。また、図３の（ｂ）において、小領域７０１〜７０８のそれぞれの境界に記載されている長さは、測定用首輪部６０に連結されている指標ベルト７０の端部から当該境界までの長さを示す。図３の（ａ）および（ｂ）に示すように、（ｉ）首輪部１０に連結されているベルト部２０の端部から小領域２５１〜２５８のそれぞれまでの長さと、（ｉｉ）測定用首輪部６０に連結されている指標ベルト７０の端部から小領域７０１〜７０８のそれぞれまでの距離と、は互いに異なっている。
【００４２】
具体的には、小領域２５１〜２５８は、伸縮ベルト２４を伸長させていない状態において、図３の（ａ）に示すように、首輪部１０に連結されているベルト部２０の端部からの長さが２２ｃｍ以上かつ３８ｃｍ未満の領域を８等分した小領域である。一方、小領域７０１〜７０８は、図３の（ｂ）に示すように、測定用首輪部６０に連結されている指標ベルト７０の端部からの長さが２５ｃｍ以上かつ４１ｃｍ未満の領域を８等分した小領域である。すなわち、マーク２６１〜２６８のそれぞれに対応する小領域は、色彩７１１〜７１８のそれぞれに対応する小領域と比較して、ベルト部２０の上記端部からの長さが３ｃｍずつ短い。
【００４３】
ところで上述したとおり、ベルト部２０は、伸縮ベルト２４を含む。このため、伸縮ベルト２４を伸長させることで、（ｉ）首輪部１０に連結されているベルト部２０の端部から適切なマークが表示された小領域までの長さと、（ｉｉ）測定用首輪部６０に連結されている指標ベルト７０の端部から適切なマークが示された小領域までの長さと、を等しくすることができる。
【００４４】
測定具２により確認した目盛に対応するマークの位置に連結部２２を合わせた場合には、ベルト部２０の長さは、その犬の大きさに適した長さに調整されている。このように長さ調整された装着具１を当該犬に装着した場合、伸縮ベルト２４が伸長する長さは、例えば、３ｃｍである。測定具２により確認した目盛が色彩７１１〜７１８のいずれであっても、当該目盛に対応するマークの位置に連結部２２を合わせた状態で犬に装着具１を装着すれば、伸長される伸縮ベルト２４の長さは、例えば３ｃｍと一定になる。したがって、伸縮ベルト２４により生じる弾性力も同様に、測定具２により確認した目盛が色彩７１１〜７１８のいずれであっても一定である。
【００４５】
伸縮ベルト２４を通常時の長さに対して適切な比率の長さだけ伸長させることで、装着具１において電極２１を犬の身体に適切な圧力で当接させることができる。本実施形態では、伸縮ベルト２４を通常時の長さに対して１３．３％伸長させた場合に電極２１が犬の腋窩に適切な圧力で当接するものとする。
【００４６】
図４の（ａ）は、装着具１のサイズごとの、伸縮ベルト２４の通常時の長さおよび伸縮ベルト２４を１３．３％伸長させるための長さを示す表である。装着具１は、例えば図４の（ａ）に示すように、Ｌサイズ、Ｍサイズ、Ｓサイズ、およびＳＳサイズの４種類のサイズのバリエーションを有する。それぞれのサイズにおいて、伸縮ベルト２４の長さは順に、２０ｃｍ、１７ｃｍ、１４ｃｍ、および１２ｃｍであるものとする。この場合、伸縮ベルト２４をそれぞれ順に３ｃｍ、２．５ｃｍ、２ｃｍ、および１．５ｃｍ伸長させれば、伸縮ベルト２４を通常時の長さに対して約１３．３％伸長させることができる。また、伸長させる比率をさらに１３．３％に近づける場合には、例えば伸縮ベルト２４をそれぞれ順に２７ｍｍ、２３ｍｍ、１９ｃｍ、および１６ｍｍ伸長させればよい。
【００４７】
図４の（ｂ）は、装着具１のサイズごとの小領域２５１〜２５８と、対応するサイズの測定具２の小領域７０１〜７０８との長さの対応関係の例を示す表である。小領域７０１〜７０８のそれぞれに対応する指標ベルト７０の長さは、小領域２５１〜２５８のそれぞれに対応するベルト部２０の長さに対して、図４の（ａ）に示した長さだけ長い。
【００４８】
これにより、いずれのサイズの装着具１においても、伸縮ベルト２４が伸長される比率を１３．３％と略一定にすることができる。したがって、装着具１によれば、予め適切なサイズを選択することで、多様な体の大きさの犬に対して、締め付けすぎおよび緩みすぎを低減し、一定の圧力で電極２１を当接させることができる。
【００４９】
また、ベルト部２０および指標ベルト７０の長さ全体に占める、それぞれの小領域の長さの比率は、装着具１のサイズによらず一定に近いことが好ましい。このため、図４の（ｂ）に示す例では、小領域２５１〜２５８および小領域７０１〜７０８の長さが装着具１のサイズごとに異なっている。具体的には、ＬサイズおよびＭサイズでは、小領域２５１〜２５８および小領域７０１〜７０８の長さはそれぞれ２ｃｍである。Ｓサイズでは、小領域２５１〜２５８および小領域７０１〜７０８の長さはそれぞれ１．５ｃｍである。ＳＳサイズでは、小領域２５１〜２５８および小領域７０１〜７０８の長さはそれぞれ１ｃｍである。
【００５０】
（ベルト部２０の長さの調整方法）
測定具２を用いて、装着具１のベルト部２０の長さを調整する方法は以下の通りである。まず、測定用首輪部６０を犬の首に装着する（装着ステップ）。次に、指標ベルト７０を犬の腋の下に通して、指標ベルト７０の他端を犬の背中側にまわし、首輪付属部８０の側方の外縁部と交差した指標ベルト７０の部分に位置する測定具指標７１の目盛を確認する（指標確認ステップ）。その後、指標確認ステップにおいて確認した測定具指標７１の目盛に対応する、ベルト部２０の装着具指標２６の目盛に基づいて、当該ベルト部２０の長さを調整する（調整ステップ）。
【００５１】
以上の手順によりベルト部２０の長さを調整した後、測定具２を犬の首から脱着し、首輪部１０を犬の首に装着し、ベルト部２０を犬の左右の腋の下を通した状態で引き上げ、連結部２２を連結部３２に連結させることで、装着具１の犬への装着が完了する。このように、予めベルト部２０の長さを調整してから装着具１を犬に装着させることで、動き回る犬に装着具１を装着させてから長さを調整する場合と比較して、長さの調整にミスが発生する虞が低減される。なお、測定具２を犬の首から脱着してから調整ステップを実行してもよい。また、首輪部１０を犬の首に装着してから、または連結部２２を連結部３２に連結させてから調整ステップを実行してもよい。
【００５２】
図５の（ａ）および（ｂ）は、装着具１を犬に装着する様子を示す図であり、（ａ）は装着途中、（ｂ）は装着完了後の状態を示している。装着具１を犬に装着する場合、まず、図５の（ａ）に示すように、連結部２２および３２を互いに連結させない状態で、首輪部１０を犬の首に装着する。その後、ベルト部２０を、犬の腋の下を通した状態で引き上げ、連結部２２を連結部３２に連結させることで、図５の（ｂ）に示すように、装着具１の犬への装着が完了する。
【００５３】
以上のとおり、装着具１は、首輪部１０と、ベルト部２０とを備える。ベルト部２０には、連結部２２による長さ調整の指標が示されている。連結部２２の位置を適切な指標が表示された領域に合わせることで、ベルト部２０の少なくとも一部が有する伸縮性による弾性力を一定にすることができる。したがって、装着具１を犬に装着させた場合における、電極２１が犬の腋窩に当接する圧力を、例えば装着具を犬に装着させた状態でベルトの長さを調節する装着具と比較して、高い再現性で調整することができる。
【００５４】
また、装着具１において、ベルト部２０に示される指標は、ベルト部２０の長さ方向に沿って表示された互いに色が異なる複数のマークである。したがって、ユーザは、色を合わせるという直感的な方法でベルト部２０の長さを調整することができる。
【００５５】
なお、電極２１が適切な圧力で犬の腋窩に当接する場合に伸縮ベルト２４が伸長される比率は、伸縮ベルト２４の材質および形状によって異なる。このため、伸縮ベルトが伸長される比率は、上述した１３．３％に限定されない。また、ベルト部２０および指標ベルト７０における、指標が表示される小領域の数および長さも上記の例に限定されない。
【００５６】
また、装着具セットが有するサイズのバリエーションも、上記の例に限定されない。装着具セットは、例えばＳＳサイズより小さいサイズ、またはＬより大きいサイズのバリエーションを有していてもよい。また、装着具セットは、３種類以下または５種類以上のサイズのバリエーションを有していてもよい。
【００５７】
〔実施形態２〕
本開示の他の実施形態について、以下に説明する。本実施形態では、測定具２の別実施形態である測定具２Ａについて説明する。なお、説明の便宜上、上記実施形態にて説明した部材と同じ機能を有する部材については、同じ符号を付記し、その説明を省略する。
【００５８】
図６は、本実施形態に係る測定具２Ａの構成を示す斜視図である。図６に示すように、測定具２Ａは、測定用首輪部６０、指標ベルト７０および首輪付属部８０の代わりに、測定用首輪部６０Ａ、指標ベルト７０Ａおよび首輪付属部８０Ａを備える。
【００５９】
測定用首輪部６０Ａは、装着具１が備える首輪部１０の形状と略同一の形状を有する。また、指標ベルト７０Ａは、装着具１が備えるベルト部２０の形状と略同一の形状を有する。ただし、測定具２Ａは、指標ベルト７０Ａを２本備える必要はなく、１本のみ備えてもよい。さらに、首輪付属部８０Ａは、装着具１が備える収納部３０と略同一の形状を有する。すなわち、測定具２Ａは、測定具２と比較して、装着具１に近い形状を有する。
【００６０】
したがって、測定具２Ａを用いて長さの指標を確認する場合、測定具２Ａと装着具１との形状の相違に起因する、指標の目盛のズレが発生しにくい。本開示の一態様に係る装着具セットは、装着具１および測定具２Ａを含んでもよい。
【００６１】
〔実施形態３〕
本開示の他の実施形態について、以下に説明する。本実施形態では、装着具１の別実施形態である装着具１Ａについて説明する。
【００６２】
図７は、本実施形態に係る装着具１Ａの構成を示す斜視図である。図７に示すように、装着具１Ａは、以下の点で装着具１と相違する。
・連結部３２を備えない。
・連結部３２と連結する連結部２２の代わりに、互いに連結しあう連結部２３１および２３２（調整部）を備える。
【００６３】
装着具１Ａにおいては、犬の背中側で連結部２３１および２３２が互いに連結されることで、２本のベルト部２０が、首輪部１０の一部との間で単一の環状の部分を形成する。このような形状を有する装着具１Ａも、本開示の技術的範囲に含まれる。本開示の一態様に係る装着具セットは、装着具１Ａおよび測定具２を含んでもよく、装着具１Ａおよび測定具２Ａを含んでもよい。
【００６４】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
（関連出願の相互参照）
本出願は、2017年8月10日に出願された日本国特許出願：特願2017-156090に対して優先権の利益を主張するものであり、それを参照することにより、その内容の全てが本書に含まれる。
【符号の説明】
【００６５】
１、１Ａ  装着具
２、２Ａ  測定具
１０  首輪部
２０  ベルト部
２２、２３１、２３２  連結部（調整部）
２６  装着具指標（第１指標）
２６１〜２６８  マーク
６０、６０Ａ  測定用首輪部
７０、７０Ａ  指標ベルト
７１  測定具指標（第２指標）
８０、８０Ａ  首輪付属部
【図１】
2019031530.tif 000003
【図２】
2019031530.tif 000004
【図３】
2019031530.tif 000005
【図４】
2019031530.tif 000006
【図５】
2019031530.tif 000007
【図６】
2019031530.tif 000008
【図７】
2019031530.tif 000009
【国際調査報告】
2019031530.tif 000010
2019031530.tif 000011
2019031530.tif 000012
2019031530.tif 000013